(57)【要約】【課題】音響信号再生動作の停止忘れによる電池の無駄な消耗を防止可能な携帯電話機を提供する。【解決手段】携帯電話機１００の信号Ｉ／Ｆ部１０６に接続したヘッドセット１１８のヘッドセットスピーカ１１６の近傍に指向性が強い検出マイク１１７を配置し、耳の鼓膜からの反射音を音響検出信号として検出可能として、オーディオ信号発生部１０８からの音響信号を耳に装着したヘッドセット１１８で聴覚する場合、ヘッドセット１１８に入力される音響信号と検出マイク１１７で検出した音響検出信号とを信号比較部１０７で比較して、不一致であれば、ヘッドセット１１８が耳から外されているものとして、オーディオ信号発生部１０８の動作を停止する。また、ヘッドセット１１８で聴覚中に、ヘッドセット１１８が信号Ｉ／Ｆ部１０６に接続されていないことが接続検出部１０５で検出された場合、オーディオ信号発生部１０８の動作を停止する。【選択図】図１
2007165940.tif 000002
【特許請求の範囲】
【請求項１】
音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機において、前記小型音響出力機器のスピーカに近接させた位置に配置した強指向性の検出マイクと、前記小型音響出力機器のスピーカから出力された音響の耳内部からの反射音が前記検出マイクにより集音されて電気信号に変換された音響検出信号と、前記オーディオ信号発生部から出力される音響信号と、を比較する信号比較部と、をさらに備えて、前記信号比較部の比較結果として、前記音響信号と前記音響検出信号とが不一致であった場合、前記オーディオ信号発生部の動作を停止させることを特徴とする携帯電話機。
【請求項２】
前記信号比較部の比較結果として、前記音響信号と前記音響検出信号とが不一致であった場合、直ちに、前記オーディオ信号発生部の動作を停止させる代わりに、不一致を検出した後あらかじめ定めた一定時間が経過するまで不一致が継続して検出された場合に、前記オーディオ信号発生部の動作を停止させることを特徴とする請求項１に記載の携帯電話機。
【請求項３】
音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機において、前記小型音響出力機器を使用者の耳に装着しているか否かを検出可能なマイクロスイッチを前記小型音響出力機器にさらに備えて、前記マイクロスイッチが前記小型音響出力機器を使用者の耳に装着していないことを検出した場合に、前記オーディオ信号発生部の動作を停止させることを特徴とする携帯電話機。
【請求項４】
前記マイクロスイッチが前記小型音響出力機器を使用者の耳に装着していないことを検出した場合に、直ちに、前記オーディオ信号発生部の動作を停止させる代わりに、装着していないことを検出した後あらかじめ定めた一定時間が経過するまで装着していないことが継続して検出された場合に、前記オーディオ信号発生部の動作を停止させることを特徴とする請求項３に記載の携帯電話機。
【請求項５】
前記小型音響出力機器が前記インタフェース部に接続されているか否かを検出する接続検出部をさらに備え、前記接続検出部が、前記小型音響出力機器と前記インタフェース部との接続を検出した場合、前記オーディオ信号発生部の動作を起動すると共に、前記接続部により前記オーディオ信号発生部と前記小型音響出力機器とを接続することを特徴とする請求項１乃至４のいずれかに記載の携帯電話機。
【請求項６】
前記オーディオ信号発生部からの音響信号を前記小型音響出力機器に出力する状態にある場合に、前記接続検出部が、前記小型音響出力機器と前記インタフェース部とが接続されていないことを検出した場合、前記オーディオ信号発生部の動作を停止させると共に、前記オーディオ信号発生部と前記小型音響出力機器との前記接続部による接続を開放することを特徴とする請求項５に記載の携帯電話機。
【請求項７】
使用者が操作可能なボタン部をさらに備え、前記オーディオ信号発生部の動作の起動を許可するか否か、前記オーディオ信号発生部の動作を停止させるか否かを、使用者が前記ボタン部を操作することにより指示することを特徴とする請求項１乃至６のいずれかに記載の携帯電話機。
【請求項８】
前記小型音響出力機器が、ヘッドセットであることを特徴とする請求項１乃至７のいずれかに記載の携帯電話機。
【請求項９】
音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機における、前記小型音響出力機器により聴覚される前記音響信号の発生元となる前記オーディオ信号発生部の動作を自動的に停止させる携帯電話機の音響再生動作自動停止方法において、前記小型音響出力機器のスピーカに近接させた位置に配置した強指向性の検出マイクにより、前記小型音響出力機器のスピーカから出力された音響の耳内部からの反射音を集音して音響検出信号として出力する音響検出ステップと、前記オーディオ信号発生部から出力される音響信号と、前記音響検出信号と、を比較する信号比較ステップと、を有して、前記信号比較ステップの比較結果として、前記音響信号と前記音響検出信号とが不一致であった場合、前記オーディオ信号発生部の動作を停止させることを特徴とする携帯電話機の音響再生動作自動停止方法。
【請求項１０】
前記信号比較ステップの比較結果として、前記音響信号と前記音響検出信号とが不一致であった場合、直ちに、前記オーディオ信号発生部の動作を停止させる代わりに、不一致を検出した後あらかじめ定めた一定時間が経過するまで不一致が継続して検出された場合に、前記オーディオ信号発生部の動作を停止させることを特徴とする請求項９に記載の携帯電話機の音響再生動作自動停止方法。
【請求項１１】
音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機における、前記小型音響出力機器により聴覚される前記音響信号の発生元となる前記オーディオ信号発生部の動作を自動的に停止させる携帯電話機の音響再生動作自動停止方法において、前記小型音響出力機器を使用者の耳に装着しているか否かを検出可能なマイクロスイッチが前記小型音響出力機器にさらに備えられていて、前記マイクロスイッチにより前記小型音響出力機器を使用者の耳に装着しているか否かを検出する装着検出ステップにおいて、前記小型音響出力機器を使用者の耳に装着していないことを検出した場合に、前記オーディオ信号発生部の動作を停止させることを特徴とする携帯電話機の音響再生動作自動停止方法。
【請求項１２】
装着検出ステップにおいて、前記マイクロスイッチにより前記小型音響出力機器を使用者の耳に装着していないことを検出した場合に、直ちに、前記オーディオ信号発生部の動作を停止させる代わりに、装着していないことを検出した後あらかじめ定めた一定時間が経過するまで装着していないことが継続して検出された場合に、前記オーディオ信号発生部の動作を停止させることを特徴とする請求項１１に記載の携帯電話機の音響再生動作自動停止方法。
【請求項１３】
前記小型音響出力機器が前記インタフェース部に接続されているか否かを検出する接続検出ステップをさらに有し、前記接続検出ステップが、前記小型音響出力機器と前記インタフェース部との接続を検出した場合、前記オーディオ信号発生部の動作を起動すると共に、前記オーディオ信号発生部と前記小型音響出力機器とを接続することを特徴とする請求項９乃至１２のいずれかに記載の携帯電話機の音響再生動作自動停止方法。
【請求項１４】
前記オーディオ信号発生部からの音響信号を前記小型音響出力機器に出力する状態にある場合に、前記接続検出ステップが、前記小型音響出力機器と前記インタフェース部とが接続されていないことを検出した場合、前記オーディオ信号発生部の動作を停止させると共に、前記オーディオ信号発生部と前記小型音響出力機器との前記接続部による接続を開放することを特徴とする請求項１３に記載の携帯電話機の音響再生動作自動停止方法。
【請求項１５】
使用者が操作可能なボタン部を携帯電話機にさらに備え、前記オーディオ信号発生部の動作の起動を許可するか否か、前記オーディオ信号発生部の動作を停止させるか否かを、使用者が前記ボタン部を操作することにより指示することを特徴とする請求項９乃至１４のいずれかに記載の携帯電話機の音響再生動作自動停止方法。
【請求項１６】
前記小型音響出力機器が、ヘッドセットであることを特徴とする請求項９乃至１５のいずれかに記載の携帯電話機の音響再生動作自動停止方法。
【発明の詳細な説明】
【技術分野】
【０００１】
本発明は、携帯電話機及び携帯電話機の音響再生動作自動停止方法に関する。特に、携帯電話機に小型音響出力機器（ヘッドセットなど）を接続して音楽を再生して聴覚している場合、小型音響出力機器を耳から外した場合の無駄な電力消費を防止する技術に関する。
【背景技術】
【０００２】
近年、携帯電話機の機能が益々向上し、携帯電話機に音楽再生機能（音響再生機能）を有するものが市場に広く販売されるようになってきた。携帯電話機の音楽再生機能の実現方法としては、音楽を携帯電話機本体のスピーカを鳴動させて聴覚する方法と、携帯電話機本体に小型音響出力機器例えばヘッドセット等を接続して、ヘッドセット等を使用者の耳に装着して聴覚する方法とが、一般に利用されている。
【０００３】
ここで、音楽を聴覚している使用者に対して急な用事が発生した場合（例えば、誰かに突然呼ばれた場合や、突然の来客などのハプニングが発生し急に聴覚をやめる状況が発生した場合等）、後者のヘッドセット等を用いて音楽を聴覚している状況においては、すなわち、携帯電話機に小型音響出力機器例えばヘッドセット等を接続して音楽を聴覚している状況においては、小型音響出力機器例えばヘッドセット等を耳から外して、急な用事に対応してしまった結果として、以降、携帯電話機で音楽を再生している最中であったことを忘れてしまう可能性が高い。このような状況が発生すると、携帯電話機での音楽再生が動作し続け、使用者が意識しないまま、携帯電話機の電池を無駄に消費してしまい、遂には、電池が放電し切ってしまうという、使用上の問題があった。
【０００４】
斯かる問題を解決するために、特許文献１に示す特開２００４−１６４２６３号公報「携帯型電子機器」においては、携帯電話機の電話機能部に電力を供給する電池とは別に、再生音楽を聴覚するヘッドホン内に外部電池を備え、音楽再生時には、該外部電池から携帯電話機内の音楽再生用の回路に電力を供給するようにし、携帯電話機の電池の電力消費がないようにする技術が提案されている。
【０００５】
また、特許文献２に示す特開平１１−２７５６９４号公報「補聴器」においては、補聴器に赤外線センサを備え、補聴器を耳に挿入した際に、耳の鼓膜温度によって放射される赤外線の量を赤外線センサによって測定することにより、補聴器の電源をオン／オフ制御しようとする技術が提案されている。
【０００６】
また、特許文献３に示す特開２００３−０２９７７３号公報「電子機器の電源制御方法及び装置」においては、ＭＤプレーヤなどの電子機器の省電力化技術として、当該電子機器を携帯電話機に接続して、該携帯電話機への着信に対して一定時間の間、何らの操作もなされなかった場合に、当該電子機器の電源をオフに設定しようとする技術が提案されている。
【特許文献１】特開２００４−１６４２６３号公報（第５−８頁）
【特許文献２】特開平１１−２７５６９４号公報（第３−４頁）
【特許文献３】特開２００３−０２９７７３号公報（第３−４頁）
【発明の開示】
【発明が解決しようとする課題】
【０００７】
しかしながら、携帯電話機の電力を無駄に消費させないようにする従来の技術には、以下のような問題があり、有効な解決策とはなっていない。
【０００８】
例えば、前記特許文献１の技術は、小型軽量化の要求が強いヘッドホンに外部電池を備える必要があり、ヘッドホンの小型軽量化が図れなくなるという問題がある。また、前記特許文献２の技術は、鼓膜温度により放射される赤外線の量が、使用者個々人の個体差を伴うものであり、不特定多数の使用者に適用可能ないわゆる汎用的な技術としては不十分となる虞がある。また、前記特許文献３の技術は、省電力化対象の電子機器の他に携帯電話機を必要とすると共に、使用者の操作が必須の技術であり、無駄な電力消費を効果的に防止しようとする目的を実現しにくいという欠点がある。
【０００９】
本発明は、斯かる事情に鑑みてなされたものであり、本発明の目的とするところは、携帯電話機に外部接続された小型音響出力機器例えばヘッドセット等が耳に装着されている状態であるか否かを、確実に、かつ、小型軽量化を損なうことなく、検出することができる機能を設け、音響再生（音楽再生など）動作中に小型音響出力機器が耳から外された時には、あるいは、再生した音響を聴覚する小型音響出力機器例えばヘッドセット等と携帯電話機との接続が開放された時には、音楽信号などの音響信号の再生動作を自動的に停止させることにより、停止忘れによる電池の無駄な消耗を防止し、使用上の便宜性の改善を図った携帯電話機及び携帯電話機の音響再生動作自動停止方法を提供することにある。
【００１０】
すなわち、携帯電話機において、小型音響出力機器例えばヘッドセット等を使って音楽等を再生する際に、小型音響出力機器例えばヘッドセット等の人体への装着の有無を検出して、装着されていないことを検出した場合は、あるいは、再生した音響を聴覚する小型音響出力機器例えばヘッドセット等が携帯電話機に接続されていないことを検出した場合には、自動的に音楽等の音響の再生動作を停止することにより、省電力化を図ることを目的としている。
【課題を解決するための手段】
【００１１】
前述の課題を解決するため、本発明による携帯電話機及び携帯電話機の音響再生動作自動停止方法は、次のような特徴的な構成を採用している。
【００１２】
（１）音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機において、前記小型音響出力機器のスピーカに近接させた位置に配置した強指向性の検出マイクと、前記小型音響出力機器のスピーカから出力された音響の耳内部からの反射音が前記検出マイクにより集音されて電気信号に変換された音響検出信号と、前記オーディオ信号発生部から出力される音響信号と、を比較する信号比較部と、をさらに備えて、前記信号比較部の比較結果として、前記音響信号と前記音響検出信号とが不一致であった場合、前記オーディオ信号発生部の動作を停止させる携帯電話機。
（２）前記信号比較部の比較結果として、前記音響信号と前記音響検出信号とが不一致であった場合、直ちに、前記オーディオ信号発生部の動作を停止させる代わりに、不一致を検出した後あらかじめ定めた一定時間が経過するまで不一致が継続して検出された場合に、前記オーディオ信号発生部の動作を停止させる上記（１）の携帯電話機。
（３）音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機において、前記小型音響出力機器を使用者の耳に装着しているか否かを検出可能なマイクロスイッチを前記小型音響出力機器にさらに備えて、前記マイクロスイッチが前記小型音響出力機器を使用者の耳に装着していないことを検出した場合に、前記オーディオ信号発生部の動作を停止させる携帯電話機。
（４）前記マイクロスイッチが前記小型音響出力機器を使用者の耳に装着していないことを検出した場合に、直ちに、前記オーディオ信号発生部の動作を停止させる代わりに、装着していないことを検出した後あらかじめ定めた一定時間が経過するまで装着していないことが継続して検出された場合に、前記オーディオ信号発生部の動作を停止させる上記（３）の携帯電話機。
（５）前記小型音響出力機器が前記インタフェース部に接続されているか否かを検出する接続検出部をさらに備え、前記接続検出部が、前記小型音響出力機器と前記インタフェース部との接続を検出した場合、前記オーディオ信号発生部の動作を起動すると共に、前記接続部により前記オーディオ信号発生部と前記小型音響出力機器とを接続する上記（１）乃至（４）のいずれかの携帯電話機。
（６）前記オーディオ信号発生部からの音響信号を前記小型音響出力機器に出力する状態にある場合に、前記接続検出部が、前記小型音響出力機器と前記インタフェース部とが接続されていないことを検出した場合、前記オーディオ信号発生部の動作を停止させると共に、前記オーディオ信号発生部と前記小型音響出力機器との前記接続部による接続を開放する上記（５）の携帯電話機。
（７）使用者が操作可能なボタン部をさらに備え、前記オーディオ信号発生部の動作の起動を許可するか否か、前記オーディオ信号発生部の動作を停止させるか否かを、使用者が前記ボタン部を操作することにより指示する上記（１）乃至（６）のいずれかの携帯電話機。
（８）前記小型音響出力機器が、ヘッドセットである上記（１）乃至（７）のいずれかの携帯電話機。
（９）音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機における、前記小型音響出力機器により聴覚される前記音響信号の発生元となる前記オーディオ信号発生部の動作を自動的に停止させる携帯電話機の音響再生動作自動停止方法において、前記小型音響出力機器のスピーカに近接させた位置に配置した強指向性の検出マイクにより、前記小型音響出力機器のスピーカから出力された音響の耳内部からの反射音を集音して音響検出信号として出力する音響検出ステップと、前記オーディオ信号発生部から出力される音響信号と、前記音響検出信号と、を比較する信号比較ステップと、を有して、前記信号比較ステップの比較結果として、前記音響信号と前記音響検出信号とが不一致であった場合、前記オーディオ信号発生部の動作を停止させる携帯電話機の音響再生動作自動停止方法。
（１０）前記信号比較ステップの比較結果として、前記音響信号と前記音響検出信号とが不一致であった場合、直ちに、前記オーディオ信号発生部の動作を停止させる代わりに、不一致を検出した後あらかじめ定めた一定時間が経過するまで不一致が継続して検出された場合に、前記オーディオ信号発生部の動作を停止させる上記（９）の携帯電話機の音響再生動作自動停止方法。
（１１）音響信号を発生するオーディオ信号発生部と、使用者の耳に装着して音響を聴覚する小型音響出力機器を接続可能なインタフェース部と、前記オーディオ信号発生部と前記インタフェース部とを接続する接続部と、を少なくとも備えた携帯電話機における、前記小型音響出力機器により聴覚される前記音響信号の発生元となる前記オーディオ信号発生部の動作を自動的に停止させる携帯電話機の音響再生動作自動停止方法において、前記小型音響出力機器を使用者の耳に装着しているか否かを検出可能なマイクロスイッチが前記小型音響出力機器にさらに備えられていて、前記マイクロスイッチにより前記小型音響出力機器を使用者の耳に装着しているか否かを検出する装着検出ステップにおいて、前記小型音響出力機器を使用者の耳に装着していないことを検出した場合に、前記オーディオ信号発生部の動作を停止させる携帯電話機の音響再生動作自動停止方法。
（１２）装着検出ステップにおいて、前記マイクロスイッチにより前記小型音響出力機器を使用者の耳に装着していないことを検出した場合に、直ちに、前記オーディオ信号発生部の動作を停止させる代わりに、装着していないことを検出した後あらかじめ定めた一定時間が経過するまで装着していないことが継続して検出された場合に、前記オーディオ信号発生部の動作を停止させる上記（１１）の携帯電話機の音響再生動作自動停止方法。
（１３）前記小型音響出力機器が前記インタフェース部に接続されているか否かを検出する接続検出ステップをさらに有し、前記接続検出ステップが、前記小型音響出力機器と前記インタフェース部との接続を検出した場合、前記オーディオ信号発生部の動作を起動すると共に、前記オーディオ信号発生部と前記小型音響出力機器とを接続する上記（９）乃至（１２）のいずれかの携帯電話機の音響再生動作自動停止方法。
（１４）前記オーディオ信号発生部からの音響信号を前記小型音響出力機器に出力する状態にある場合に、前記接続検出ステップが、前記小型音響出力機器と前記インタフェース部とが接続されていないことを検出した場合、前記オーディオ信号発生部の動作を停止させると共に、前記オーディオ信号発生部と前記小型音響出力機器との前記接続部による接続を開放する上記（１３）の携帯電話機の音響再生動作自動停止方法。
（１５）使用者が操作可能なボタン部を携帯電話機にさらに備え、前記オーディオ信号発生部の動作の起動を許可するか否か、前記オーディオ信号発生部の動作を停止させるか否かを、使用者が前記ボタン部を操作することにより指示する上記（９）乃至（１４）のいずれかの携帯電話機の音響再生動作自動停止方法。
（１６）前記小型音響出力機器が、ヘッドセットである上記（９）乃至（１５）のいずれかの携帯電話機の音響再生動作自動停止方法。
【発明の効果】
【００１３】
本発明の携帯電話機及び携帯電話機の音響再生動作自動停止方法によれば、携帯電話機の一機能として広く用いられるようになった音楽等の音響再生機能として、小型音響出力機器例えばヘッドセット等を使って音楽等の音響を再生する際に、小型音響出力機器例えばヘッドセット等の人体への装着の有無を検出して、装着されていないことを検出した場合は、あるいは、再生した音響を聴覚する小型音響出力機器例えばヘッドセット等が携帯電話機に接続されていないことを検出した場合は、自動的に音楽等の音響の再生を停止するようにしているので、音響再生中例えば音楽再生中の再生動作の停止忘れによって生じる無駄な電池消耗を防止することが可能であり、携帯電話機使用上における便宜性の改善を図ることができる。
【発明を実施するための最良の形態】
【００１４】
以下、本発明による携帯電話機及び携帯電話機の音響再生動作自動停止方法の好適実施形態例について、添付図を参照しながら説明する。
【００１５】
（本発明の特徴）
本発明による携帯電話機及び携帯電話機の音響再生動作自動停止方法の一実施例として、再生した音楽を外部に出力する機器として、小型音響出力機器を用い、かつ、該小型音響出力機器がヘッドセットである場合について、本発明の特徴を説明する。
【００１６】
小型音響出力機器であるヘッドセットの受話器部分には、指向性の強いマイクを、使用者の耳に装着されたヘッドセット受話器のスピーカから出力された音響（音楽など）の鼓膜からの反射音を検出するために設ける。前記マイクでは、指向性が強く、耳内の鼓膜方向からの音響（音楽など）の音波しか集音することができないように配置されているため、ヘッドセットが耳に装着された状態とされることにより、はじめて、ヘッドセットのスピーカから出力される音響（音楽など）の反射音を集音することができる。
【００１７】
このため、ヘッドセットが耳に装着されている時は、前記マイクで集音されて、前記マイクから出力される音響信号は、ヘッドセットのスピーカに入力した音響信号と同一の信号として得られるが、一方、ヘッドセットを耳から外した場合には、前記マイクでは、ヘッドセットのスピーカから出力される音響の反射音を集めることができなくなるので、前記マイクからの音響信号とスピーカに入力した音響信号との両者の信号の関連性は全くなく、両者の信号は不一致となってしまう。
【００１８】
かくのごとき関係を用いて、ヘッドセットのスピーカに入力した音響信号と前記マイクで集音した音響信号との両者の信号の比較を行い、両者が同一の信号の場合には、ヘッドセットは使用者の耳に装着されている状態であると判定して、音楽再生を動作させるように制御し、一方、両者の信号が異なっている場合には、ヘッドセットが使用者の耳から外された状態であると判定し、音楽再生を停止する制御を行い、無駄な電力供給を停止させるようにしている。
【００１９】
（実施例の構成）
本発明の携帯電話機には、携帯電話機本体への小型音響出力機器例えばヘッドセット等の接続を検出する機能と、小型音響出力機器例えばヘッドセット等のスピーカへの出力信号すなわちスピーカ入力信号と、小型音響出力機器例えばヘッドセット等の受話器に内蔵されたマイクからの出力信号すなわちマイク出力信号と、を比較する機能とが少なくとも設けられ、比較結果として、前述したように、両者の信号が異なっている場合には、音楽再生の動作を停止させる制御を行わせることにより、無駄な電力供給を停止させる機能を実現している。
【００２０】
図１は、本発明の携帯電話機の音響再生動作自動停止方法を実現する携帯電話機の機能ブロック構成の一例を示した機能ブロック図であり、携帯電話機で再生された音声を出力する小型音響出力機器として、ヘッドセットを用いている場合を示している。
【００２１】
図１に示す携帯電話機１００は、通常の携帯電話機と同様に、携帯電話機１００全体の動作を制御する制御部１０１、液晶などの表示部１０２、操作用のボタン部１０３、各種のプログラムやデータを記憶する記憶部１０４を備え、更に、無線基地局との間で無線信号を送受信するアンテナ１２３、無線部１２２、ベースバンド処理部１２１を備えている。また、携帯電話機１００は、当該携帯電話機１００の使用者との間で音声を入出力するための送話器１１９、受話器１２０、及び、使用者との間で入出力される音声（アナログ信号）とベースバンド処理部１２１で扱うデジタル信号との変換を行う音声信号処理部１１０を備えている。
【００２２】
更に、図１に示す携帯電話機１００は、音響（音楽など）の再生・聴取を可能とするために、音響信号（音楽信号など）を再生するオーディオ信号発生部１０８、ベースバンド処理部１２１とオーディオ信号発生部１０８との切換えを行う通話路切換部１１１、本体スピーカ１１２、外部に設けられているヘッドセット１１８（すなわち、ヘッドセットスピーカ１１６を内蔵するヘッドセット受話器１１５、ヘッドセット送話器１１４）のヘッドセット接続端子１１３と接続する信号Ｉ／Ｆ（ＩｎｔｅｒＦａｃｅ）部１０６、及び、送話器１１９・受話器１２０、本体スピーカ１１２、信号Ｉ／Ｆ部１０６の間の切換えを行う信号切換部１０９を備えている。
【００２３】
更に、図１に示す携帯電話機１００は、音響（音楽など）の再生動作の継続可否を判別するために、ヘッドセット受話器１１５に内蔵し、強い指向性を有する検出マイク１１７、ヘッドセット１１８と信号Ｉ／Ｆ部１０６との接続を検出する接続検出部１０５、及び、ヘッドセット１１８へ入力される音響信号と検出マイク１１７から出力される音響検出信号との比較を行う信号比較部１０７を備えている。
【００２４】
（実施例の動作の説明）
次に、図１に示す携帯電話機１００の動作について更に説明する。
【００２５】
携帯電話機１００の制御部１０１は、ボタン部１０３から使用者が入力したボタン情報を検出する機能、表示部１０２に各種情報を表示する機能、記憶部１０４に記憶されているデータの読み書きを行う機能、オーディオ信号発生部１０８のオーディオ信号（音響信号）の再生動作を起動・停止させる機能、信号切換部１０９と通話路切換部１１１の各通話路を切り換える機能、及び、接続検出部１０５、信号比較部１０７で発生した信号情報を検出する機能を少なくとも有している。
【００２６】
通話路切換部１１１は、音声信号処理部１１０の接続を、ベースバンド処理部１２１の通話路とオーディオ信号発生部１０８の通話路とのいずれかに切り換える機能を有しており、制御部１０１の制御により、ベースバンド処理部１２１と音声信号処理部１１０との通話路の接続、又は、オーディオ信号発生部１０８と音声信号処理部１１０との通話路の接続が行われる。アンテナ１２３を介した無線通信による通話の場合は、前者のベースバンド処理部１２１と音声信号処理部１１０との通話路の接続が行われ、一方、オーディオ信号発生部１０８の音響（音楽など）再生の場合においては、後者のオーディオ信号発生部１０８と音声信号処理部１１０との通話路の接続が行われる。
【００２７】
また、同様に、信号切換部１０９は、音声信号処理部１１０の接続を、送話器１１９、受話器１２０との通話路、本体スピーカ１１２との通話路、信号Ｉ／Ｆ部１０６との通話路のいずれかに切り換える機能を有しており、制御部１０１の制御により、アンテナ１２３を介した無線通信による通話の場合は、音声信号処理部１１０と受話器１２０、送話器１１９との通話路の接続、又は、再生音響を本体スピーカ１１２で聴覚する場合は、音声信号処理部１１０と本体スピーカ１１２との通話路の接続、あるいは、再生音響をヘッドセットスピーカ１１６で聴覚する場合は、音声信号処理部１１０と信号Ｉ／Ｆ部１０６との通話路の接続が行われる。
【００２８】
なお、受話器１２０、送話器１１９、及び、本体スピーカ１１２は、携帯電話機１００本体に内蔵されている音響部であり、一方、ヘッドセット１１８は、携帯電話機１００の外部にある音響部すなわち小型音響出力機器であり、ヘッドセット接続端子１１３を信号Ｉ／Ｆ部１０６に接続することにより、携帯電話機１００と接続可能である。すなわち、本携帯電話機１００は、外部のヘッドセット１１８と接続可能な信号Ｉ／Ｆ部１０６を有しており、ヘッドセット１１８のヘッドセット受話器１１５とヘッドセット送話器１１４とは、信号Ｉ／Ｆ部１０６、ヘッドセット接続端子１１３を介して接続される。
【００２９】
更に、このヘッドセット受話器１１５は、音響信号（音楽信号など）により鳴動して音響（音楽など）を出力するヘッドセットスピーカ１１６と、ヘッドセットスピーカ１１６が出力する音響（音楽など）の反射音を集音するための強い指向性を有する検出マイク１１７と、を含んで構成されている。図２は、本発明の一実施例である携帯電話機１００に外部接続されるヘッドセット受話器１１５の外観の一例を示す外観イメージ図である。図２に示すように、耳に装着されるヘッドセット受話器１１５の中央部には、ヘッドセットスピーカ１１６が配置され、中央部から若干ずれた位置には、ヘッドセットスピーカ１１６から出力された音響（音楽など）の音波の反射音を検出して、電気信号に変換し、音響検出信号として出力する検出マイク１１７が配置されている。
【００３０】
なお、ヘッドセット受話器１１５には、ヘッドセットスピーカ１１６への音響信号、検出マイク１１７からの音響検出信号をヘッドセット接続端子１１３との間で送受信するためのヘッドセット線１１５ａが接続されている。このヘッドセット線１１５ａは、ヘッドセット接続端子１１３を介して携帯電話機１００の信号Ｉ／Ｆ部１０６と接続することができる。
【００３１】
また、図１に示す携帯電話機１００において、信号Ｉ／Ｆ部１０６には、ヘッドセット１１８（すなわち、ヘッドセット受話器１１５、ヘッドセット送話器１１４）のヘッドセット接続端子１１３が信号Ｉ／Ｆ部１０６に接続されたことを検出する接続検出部１０５が設けられており、ヘッドセット１１８のヘッドセット接続端子１１３が信号Ｉ／Ｆ部１０６に接続された場合、接続検出部１０５から、ヘッドセット１１８が接続された旨を示す接続情報が制御部１０１に対して送出される。
【００３２】
音声信号処理部１１０は、音声データや音響（音楽など）データのデジタル信号をアナログ信号形式に、又は、音声データのアナログ信号をデジタル信号形式に変換する機能を有しており、ベースバンド処理部１２１から送信されてくる音声データのデジタル信号のアナログ信号化、又は、オーディオ信号発生部１０８から送信されてくる音響（音楽など）データのアナログ信号化を行うと共に、送話器１１９、又は、ヘッドセット送話器１１４からの音声データのアナログ信号をデジタル信号化する機能を有している。
【００３３】
以上の構成により、本発明の一実施例である図１のような携帯電話機１００では、受話器１２０、送話器１１９を用いた通常の通話が可能であり、更に、ヘッドセット１１８の接続時には、ヘッドセット受話器１１５、ヘッドセット送話器１１４のヘッドセット１１８を用いた通話も可能である。
【００３４】
また、使用者がボタン部１０３のボタン操作をすることにより、音楽再生の起動を指示すると、制御部１０１では、音楽再生の起動を指示するボタン情報が検出される。この結果、制御部１０１は、オーディオ信号発生部１０８を起動すると共に、通話路切換部１１１の切換制御を行い、オーディオ信号発生部１０８からの音響信号（音楽信号など）を本体スピーカ１１２に出力し、本体スピーカ１１２を鳴動させる。
【００３５】
更に、このような音楽再生状態で、使用者が、ヘッドセット１１８（すなわち、ヘッドセット受話器１１５、ヘッドセット送話器１１４）のヘッドセット接続端子１１３を信号Ｉ／Ｆ部１０６に接続すると、接続された旨を示す接続情報が接続検出部１０５から制御部１０１に対して入力される。この結果、制御部１０１では、信号切換部１０９の切換え制御を行い、本体スピーカ１１２から信号Ｉ／Ｆ部１０６側に切り換えて、オーディオ信号発生部１０８からの音響信号（音楽信号など）を、ヘッドセット受話器１１５のヘッドセットスピーカ１１６側に出力し、ヘッドセットスピーカ１１６を鳴動させる。
【００３６】
同時に、ヘッドセット受話器１１５のヘッドセットスピーカ１１６から音響（音楽など）が出力される状態に切り換えられた場合、ヘッドセットスピーカ１１６に入力された音響信号（音楽信号など）が、信号比較部１０７の一方の入力端子に入力されると共に、ヘッドセットスピーカ１１６から出力された音響（音楽など）の音波は、耳内の鼓膜で反射されてきて、ヘッドセット受話器１１５に内蔵されている検出マイク１１７によって集音されて音響検出信号に変換される。検出マイク１１７にて集音され変換された音響検出信号は、信号比較部１０７のもう一方の入力端子に入力される。
【００３７】
ここで、この信号比較部１０７の回路構成の一実施例について説明する。図３は、本発明の一実施例である携帯電話機１００の信号比較部１０７の回路構成の一例を示す概略回路図である。信号比較部１０７の回路は、入力端子Ｓｉｎ１  ３０５、Ｓｉｎ２  ３０６にそれぞれ直列接続された直列入力抵抗Ｒ２  ３０２、Ｒ３  ３０３を介して比較器３０８のプラス側入力端子とマイナス側入力端子にそれぞれ接続され、比較器３０８の出力端子Ｓｏｕｔ  ３０７は、レベル判定部３０９に接続されている。
【００３８】
前述したように、ヘッドセットスピーカ１１６に入力された音響信号（音楽信号など）、検出マイク１１７にて集音され変換された音響検出信号の各信号は、それぞれ、入力端子Ｓｉｎ１  ３０５、Ｓｉｎ２  ３０６に入力され、比較器３０８のプラス側とマイナス側との入力端子にそれぞれ入力される。
【００３９】
したがって、例えば、図４に示すように、ヘッドセットスピーカ１１６に入力された音響信号（音楽信号など）と、検出マイク１１７にて集音され変換された音響検出信号と、の双方の信号が全く同一の信号波形であった場合は、比較器３０８において互いの逆位相の加算により、比較器３０８の出力端子Ｓｏｕｔ  ３０７には、信号成分が全く出力されず、比較結果を示すレベル判定部３０９からの出力も“０レベル”の信号（一致信号）になる。ここに、図４は、本発明の一実施例である携帯電話機１００のヘッドセットスピーカ１１６への音響信号（音楽信号など）と検出マイク１１７からの音響検出信号とが同一信号であった場合における信号比較部１０７のレベル判定部３０９の出力波形の一例を示す信号波形図である。
【００４０】
一方、図５に示すように、ヘッドセットスピーカ１１６に入力された音響信号（音楽信号など）と、検出マイク１１７にて集音され変換された音響検出信号と、の双方の信号が全く異なる信号波形であり、互いに無関係な信号であった場合は、比較器３０８の出力端子Ｓｏｕｔ  ３０７には、大きな信号が出力されることとなり、比較結果を示すレベル判定部３０９からの出力は、両方の信号が異なっていることを示すためにあらかじめ定めた信号レベルの信号（不一致信号）となる。ここに、図５は、本発明の一実施例である携帯電話機１００のヘッドセットスピーカ１１６への音響信号（音楽信号など）と検出マイク１１７からの音響検出信号とが異なる信号であった場合における信号比較部１０７のレベル判定部３０９の出力波形の一例を示す信号波形図である。
【００４１】
なお、抵抗Ｒ１  ３０１乃至Ｒ４  ３０４のそれぞれは、入力端子Ｓｉｎ１  ３０５とＳｉｎ２  ３０６とのそれぞれの入力信号の利得調整のための抵抗であり、各抵抗値を調整することによって、両入力信号の信号レベルを補正することが可能である。
【００４２】
また、前述のように、比較器３０８の出力端子Ｓｏｕｔ  ３０７から出力された比較結果を示す信号（すなわち、信号有無の判定結果を示す信号）は、レベル判定部３０９に入力されて、信号レベルがあらかじめ定めた閾値と比較され、信号比較部１０７への２つの入力信号の一致、不一致を示す比較判定信号を出力する。この信号比較部１０７の比較判定信号は、制御部１０１に対して出力される。
【００４３】
なお、図１に示す携帯電話機１００のベースバンド処理部１２１、無線部１２２、アンテナ１２３の動作については、本発明の対象としている音楽再生などの音響再生動作や音響再生停止動作とは直接関係しないため、ここでの詳細な説明は省略するが、通常の携帯電話機の場合と同様に、それぞれ携帯電話機固有の機能を実現している。
【００４４】
（音響再生動作自動停止方法の動作例の説明）
次に、本発明の一実施例である図１の携帯電話機１００における音響再生動作自動停止方法を示す動作の一例について、図面を参照しながら説明する。
【００４５】
まず、ヘッドセット受話器１１５を耳に装着した場合の音響（音楽など）の音波の出力、反射について、図６を用いて説明する。ここに、図６は、本発明の一実施例である携帯電話機１００に外部接続したヘッドセット受話器１１５を耳に装着した場合の音響（音楽など）の音波の概要を説明するための説明図である。
【００４６】
耳にヘッドセット受話器１１５を装着した場合、耳４０１の穴は狭い空間であり、かつ、耳４０１に装着したヘッドセット受話器１１５は、外部と密閉に近い状態に耳壁に密着する状態になる。このため、図６に示すように、ヘッドセット受話器１１５のヘッドセットスピーカ１１６から出力された音響（音楽など）の音波は、耳４０１の穴（耳道）を鼓膜４０２まで直進して伝搬した後、鼓膜４０２で反射される。その結果、ヘッドセットスピーカ１１６の方に反射音として伝搬され、ヘッドセットスピーカ１１６の近傍に配置されている検出マイク１１７にて集音されて、音響検出信号として電気信号に変換されて取り出される。検出マイク１１７から取り出されたこの音響検出信号は、図３に説明した通り、信号比較部１０７のもう一方の入力端子に入力されることとなる。
【００４７】
一方、耳にヘッドセット受話器１１５を装着していない場合は、ヘッドセット受話器１１５のヘッドセットスピーカ１１６から出力された音響（音楽など）の音波は、広い空間に放射された状態になり、ヘッドセットスピーカ１１６から出力された音響（音楽など）の音波は、ヘッドセットスピーカ１１６の方に反射されてこない。このため、ヘッドセットスピーカ１１６の近傍に配置されている強い指向性の検出マイク１１７では、ヘッドセットスピーカ１１６から出力された音響（音楽など）の反射音を集音することができない。すなわち、検出マイク１１７には、ヘッドセットスピーカ１１６からの音響（音楽など）の音波とは全く異なる検出マイク１１７付近の環境雑音のみが集められ、変換されて、信号比較部１０７のもう一方の入力端子に入力されることとなる。
【００４８】
次に、本発明の一実施例である図１の携帯電話機１００における音響再生動作自動停止方法を示す動作の一例を、図７の制御フローチャートを用いて説明する。ここに、図７は、本発明の一実施例である携帯電話機１００における音響再生動作自動停止方法を示す動作の一例を説明するための制御フローチャートであり、あらかじめ定めた一定周期ごとに起動される処理を示している。
【００４９】
制御部１０１は、記憶部１０４から音楽再生の動作の有無を示す音楽起動フラグのデータを読み出し（ステップＳ１）、音楽起動フラグがＯＮかＯＦＦかを判定する（ステップＳ２）。最初の初期状態では、音響再生動作(音楽再生動作など）の起動を行っていないものとすると、音楽起動フラグはＯＦＦ状態であるので（ステップＳ２のＮＯ）、オーディオ信号発生部１０８の動作を停止し、通話路切換部１１１を制御して、ベースバンド処理部１２１と音声信号処理部１１０との接続を行った後（ステップＳ３）、使用者による音楽再生起動操作の監視状態を継続する（ステップＳ４）。
【００５０】
使用者がボタン部１０３で音楽再生の起動指示のボタン操作を行っていない場合（ステップＳ４のＮＯ）、本処理を終了し、次の周期でこの制御フローチャートが再度起動されるまで、この状態を継続する。
【００５１】
一方、使用者が音楽再生の起動指示をボタン部１０３のボタン操作により行った場合（ステップＳ４のＹＥＳ）、音楽起動フラグをＯＮ状態に設定して、記憶部１０４に登録する（ステップＳ５）。しかる後、本処理を終了し、次の周期でこの制御フローチャートが再度起動されるまで、この状態を継続する。
【００５２】
使用者が音楽再生の起動指示をボタン部１０３のボタン操作により行っていると（ステップＳ４のＹＥＳ）、次の周期で再度本処理が起動された時、次の周期で起動された制御フローチャートにおける音楽起動フラグの判定処理結果として、音楽起動フラグはＯＮ状態にあると判定されるので（ステップＳ２のＹＥＳ）、制御部１０１は、オーディオ信号発生部１０８の起動を行うと共に、通話路切換部１１１を制御して、オーディオ信号発生部１０８と音声信号処理部１１０とを接続する（ステップＳ６）。次いで、使用者のボタン部１０３のボタン操作による音楽再生の停止を監視する状態に入る（ステップＳ７）。なお、すでに、オーディオ信号発生部１０８が起動済みであり、また、オーディオ信号発生部１０８と音声信号処理部１１０とが接続済みであった場合は、そのままの状態を継続し、オーディオ信号発生部１０８の更なる起動や通話路切換部１１１の更なる制御は行わない。
【００５３】
使用者がボタン部１０３のボタン操作により音楽再生の停止の操作を行った場合（ステップＳ７のＹＥＳ）、音楽起動フラグをＯＦＦ状態に設定して、記憶部１０４に登録し（ステップＳ８）、本処理を終了し、次の周期でこの制御フローチャートが再度起動されるまで、この状態を継続する。
【００５４】
音楽起動フラグがＯＦＦ状態に設定されると、次の周期で起動された制御フローチャートにおける音楽起動フラグの判定処理結果として、音楽起動フラグはＯＦＦ状態にあると判定されるので（ステップＳ２のＮＯ）、オーディオ信号発生部１０８の動作が停止され、更に、通話路切換部１１１が制御されて、ベースバンド処理部１２１と音声信号処理部１１０との接続を行われることとなる（ステップＳ３）。
【００５５】
一方、使用者がボタン部１０３のボタン操作による音楽再生の停止の操作を行うことなく、音楽再生を継続している場合（ステップＳ７のＹＥＳ）、制御部１０１は、接続検出部１０５の検出結果を読み出して（ステップＳ９）、ヘッドセット１１８（すなわち、ヘッドセット受話器１１５、ヘッドセット送話器１１４）のヘッドセット接続端子１１３が信号Ｉ／Ｆ部１０６に接続されているか否かを判定する（ステップＳ１０）。
【００５６】
ヘッドセット１１８のヘッドセット接続端子１１３が信号Ｉ／Ｆ部１０６に接続されていない場合（ステップＳ１０のＮＯ）、制御部１０１は、信号切換部１０９を制御して、音声信号処理部１１０と本体スピーカ１１２とを接続して、オーディオ信号発生部１０８からの音響信号（音楽信号など）を本体スピーカ１１２側に出力させる（ステップＳ１１）。この一連の操作により、音楽再生音が携帯電話機１００の本体スピーカ１１２から再生されることになる。
【００５７】
一方、ヘッドセット１１８のヘッドセット接続端子１１３が信号Ｉ／Ｆ部１０６に接続されている場合（ステップＳ１０のＹＥＳ）、制御部１０１は、ヘッドセット１１８の接続を接続検出部１０５を介して認識し、信号切換部１０９を制御して、音声信号処理部１１０と信号Ｉ／Ｆ部１０６とを接続して、オーディオ信号発生部１０８からの音響信号（音楽信号など）を信号Ｉ／Ｆ部１０６側に出力させる（ステップＳ１２）。このような接続切換制御により、オーディオ信号発生部１０８からの音楽再生音が、信号Ｉ／Ｆ部１０６、ヘッドセット接続端子１１３を介して、ヘッドセット受話器１１５から再生されることになる。
【００５８】
この時、ヘッドセットスピーカ１１６側に出力されている音響信号（音楽信号など）は、信号切換部１０９を通過した部位で分岐して、信号比較部１０７の一方の入力端子にも入力されている。また、ヘッドセット１１８が耳に装着されている場合、ヘッドセット受話器１１５のヘッドセットスピーカ１１６から出力された音響（音楽など）の音波は、図６で説明したように、耳４０１の耳道を直進して鼓膜４０２にて反射され、反射音としてヘッドセット受話器１１５側に届いてくる。この反射音は、ヘッドセット受話器１１５のヘッドセットスピーカ１１６の近傍に配置されている検出マイク１１７で集音されて、電気信号に変換されて、音響検出信号として出力される。検出マイク１１７から出力される音響検出信号は、信号比較部１０７のもう一方の入力端子に入力される。
【００５９】
このように、ヘッドセット１１８が耳に装着されている場合、先に説明した図４のように、信号比較部１０７の２つの入力端子にそれぞれ入力されてくるヘッドセットスピーカ１１６への音響信号（音楽信号など）と検出マイク１１７からの音響検出信号とは、ほぼ同一の信号波形として得られるため、先に説明した通り、信号比較部１０７の比較器３０８にて両信号が一致していることを示す比較結果信号が得られ、信号比較部１０７のレベル判定部３０９からの比較判定信号として、両者の信号が一致していることを示す信号レベル“０”の信号（一致信号）が出力される。
【００６０】
したがって、制御部１０１は、この信号比較部１０７のレベル判定部３０９からの比較判定信号を読み出して（ステップＳ１３）、比較判定信号が、両者の信号が一致していることを示す信号レベル“０”の信号（一致信号）であった場合（ステップＳ１４のＹＥＳ）、ヘッドセット１１８が耳に装着されている状態にあるものと判定して、ヘッドセット１１８による音楽再生などの音響再生動作を継続することになる。
【００６１】
他方、ヘッドセット１１８が耳に装着されている状態からヘッドセット１１８が耳から外された状態に移った場合、耳の内部で発生していたヘッドセットスピーカ１１６からの音響（音楽など）の反射音が、ヘッドセットスピーカ１１６側に届かなくなり、かつ、ヘッドセットスピーカ１１６の近傍に設けられた検出マイク１１７は指向性が強いマイクであるため、ヘッドセットスピーカ１１６から出力されている直接音、すなわち、ヘッドセットスピーカ１１６から出力されている音響（音楽など）そのものの音波も検出することができない。したがって、検出マイク１１７は、ヘッドセットスピーカ１１６から出力されている音響（音楽など）の音波とは全く無関係な周囲の雑音を集音している状態となる。
【００６２】
すなわち、音楽再生などの音響再生動作中に、ヘッドセット１１８が耳から外された場合、先に説明した図５のように、信号比較部１０７の２つの入力端子にそれぞれ入力されてくるヘッドセットスピーカ１１６への音響信号（音楽信号など）と検出マイク１１７からの音響検出信号とは、全く異なる信号として得られるため、信号比較部１０７の比較器３０８にて両信号が不一致であることを示す比較結果信号が得られ、信号比較部１０７のレベル判定部３０９からの比較判定信号として、両者の信号が不一致であることを示す信号レベルが大きな“信号あり”の信号（不一致信号）が出力される。
【００６３】
したがって、制御部１０１は、この信号比較部１０７のレベル判定部３０９からの比較判定信号を読み出して（ステップＳ１３）、比較判定信号として、両者の信号が不一致であることを示す信号レベルが大きな“信号あり”の信号（不一致信号）であった場合（ステップＳ１４のＮＯ）、ヘッドセット１１８が耳から外された状態にあるものと判定され、音楽起動フラグをＯＦＦ状態に設定して、記憶部１０４に登録することになる（ステップＳ１５）。
【００６４】
音楽起動フラグがＯＦＦ状態に設定されることにより、再び、次の周期で起動された制御フローチャートにおける音楽起動フラグの判定処理結果として、音楽起動フラグはＯＦＦ状態にあると判定されるので（ステップＳ２のＮＯ）、再び、オーディオ信号発生部１０８の動作が停止され、更に、通話路切換部１１１が制御されて、ベースバンド処理部１２１と音声信号処理部１１０との接続を行われることとなる（ステップＳ３）。この結果、使用者が聴覚していない音響再生動作（音楽再生動作など）に伴う無駄な電力消費を抑えることができる。
【００６５】
(本実施例の効果の説明）
以上、説明したように、本発明の一例を示す本実施例によれば、耳に装着したヘッドセット１１８を携帯電話機１００に接続して、再生音響として、例えば音楽を聴覚している使用者に、急な用事が発生した場合のように、ヘッドセット１１８を無意識に耳から外してしまうことで生じる可能性が高い音楽再生などの音響再生動作の停止忘れによる携帯電話機１００の電池の無駄な消費や、遂には、電池が放電し切ってしまうという、携帯電話機１００の使用上の問題を改善することができるという効果が得られる。
【００６６】
なお、本発明の実施例の説明においては、ヘッドセット受話器１１５に検出マイク１１７を内蔵させることにより、ヘッドセット１１８の耳への装着の有無を検出する例を示したが、検出マイク１１７の代わりに、例えば、ヘッドセット１１８の耳への装着を検出可能なマイクロスイッチ等をヘッドセット１１８に備え、該マイクロスイッチ等により耳への装着の有無を検出する方法を用いても、全く同様の効果が得られる。
【００６７】
更には、音楽再生などの音響再生動作中において、本体スピーカ１１２に音楽などの音響の音波が出力されていなかった状態で、すなわち、ヘッドセット１１８で音楽などの再生音響を出力していた状態で、ヘッドセット１１８が携帯電話機１００に接続されていないことが接続検出部１０５によって検出された場合、音楽再生などの音響再生動作を停止させるようにしてもよい。
【００６８】
また、前述の本実施例においては、使用者が音楽再生などの音響再生動作の起動を指示するボタン操作をすると、音楽起動フラグをＯＮにして、オーディオ信号発生部１０８の動作を起動する場合を示したが、使用者が操作するボタンは、音楽再生などの音響再生動作の起動を許可するか否かを示すものとして、このボタン操作がなされている状態で、携帯電話機１００に接続されたヘッドセット１１８が耳に装着されたことを検出した場合に、はじめて、オーディオ信号発生部１０８の動作を起動するようにしてもよい。
【００６９】
また、前述の本実施例においては、ヘッドセット１１８を耳に装着していないことが検出された場合、直ちに、音楽再生などの音響再生動作を停止させる場合について説明したが、本発明は、このような場合に限るものではない。偶然、耳からヘッドセット１１８が外れてしまったような場合でも、再度、耳にヘッドセット１１８を装着し直せば、継続して、再生した音楽などの音響を聴覚することができるようにしてもよい。
【００７０】
すなわち、たとえ、ヘッドセット１１８を耳に装着していないことが検出されたとしても、あらかじめ定めた一定時間が経過するまでは、音楽再生などの音響再生動作を停止せずに、そのままとし、該一定時間内においても、ヘッドセット１１８を耳に装着していない状態が継続していた場合に、はじめて、音楽再生などの音響再生動作を停止させるようにしてもよい。さらには、ヘッドセット１１８を耳に装着していないことが検出された場合には、警告ランプや警告音によって使用者に対して警告するようにしてもよい。
【００７１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００７２】
【図１】本発明の携帯電話機の音響再生動作自動停止方法を実現する携帯電話機の機能ブロック構成の一例を示した機能ブロック図である。
【図２】本発明の一実施例である携帯電話機に外部接続されるヘッドセット受話器の外観の一例を示す外観イメージ図である。
【図３】本発明の一実施例である携帯電話機の信号比較部の回路構成の一例を示す概略回路図である。
【図４】本発明の一実施例である携帯電話機のヘッドセットスピーカへの音響信号（音楽信号など）と検出マイクからの音響検出信号とが同一信号であった場合における信号比較部のレベル判定部の出力波形の一例を示す信号波形図である。
【図５】本発明の一実施例である携帯電話機のヘッドセットスピーカへの音響信号（音楽信号など）と検出マイクからの音響検出信号とが異なる信号であった場合における信号比較部のレベル判定部の出力波形の一例を示す信号波形図である。
【図６】本発明の一実施例である携帯電話機に外部接続したヘッドセット受話器を耳に装着した場合の音響（音楽など）の音波の概要を説明するための説明図である。
【図７】本発明の一実施例である携帯電話機における音響再生動作自動停止方法を示す動作の一例を説明するための制御フローチャートである。
【符号の説明】
【００７３】
１００      携帯電話機
１０１      制御部
１０２      表示部
１０３      ボタン部
１０４      記憶部
１０５      接続検出部
１０６      信号Ｉ／Ｆ（ＩｎｔｅｒＦａｃｅ）部
１０７      信号比較部
１０８      オーディオ信号発生部
１０９      信号切換部
１１０      音声信号処理部
１１１      通話路切換部
１１２      本体スピーカ
１１３      ヘッドセット接続端子
１１４      ヘッドセット送話器
１１５      ヘッドセット受話器
１１５ａ    ヘッドセット線
１１６      ヘッドセットスピーカ
１１７      検出マイク
１１８      ヘッドセット
１１９      送話器
１２０      受話器
１２１      ベースバンド処理部
１２２      無線部
１２３      アンテナ
３０１      抵抗Ｒ１
３０２      直列入力抵抗Ｒ２
３０３      直列入力抵抗Ｒ３
３０４      抵抗Ｒ４
３０５      入力端子Ｓｉｎ１
３０６      入力端子Ｓｉｎ２
３０７      出力端子Ｓｏｕｔ
３０８      比較器
３０９      レベル判定部
４０１      耳
４０２      鼓膜
【図１】
2007165940.tif 000003
【図２】
2007165940.tif 000004
【図３】
2007165940.tif 000005
【図４】
2007165940.tif 000006
【図５】
2007165940.tif 000007
【図６】
2007165940.tif 000008
【図７】
2007165940.tif 000009